(57)【特許請求の範囲】
【請求項１】
上側水平部と下側水平部とこれらを連結する垂直部と備える大径枠片、および前記上側水平部内に挿入される上側水平部と前記下側水平部内に挿入される下側水平部とこれらを連結する垂直部とを備える小径枠片とを有し、工事現場の基台に着脱自在に装着される四辺形の手摺パイプ枠を支持する手摺支柱であって、
前記基台に締結されるジョイント部が下端部に設けられる支柱本体と、
前記支柱本体に設けられるとともにピンを中心に回動自在のクランプ片を有し、前記上側水平部と前記下側水平部のいずれか一方を前記支柱本体に固定する固定部材と、
前記支柱本体に上下に摺動自在に装着され、前記上側水平部と前記下側水平部のいずれか一方が前記固定部材により支持された後に、下降移動により前記上側水平部と前記下側水平部のいずれか他方に係合する係合フックとを有することを特徴とする手摺支柱。
【請求項２】
請求項１記載の手摺支柱において、前記大径枠片が係合する曲率の大きい係合面と、前記小径枠片が係合する曲率の小さい係合面とを前記係合フックに形成したことを特徴とする手摺支柱。
【請求項３】
工事現場の基台に着脱自在に装着される仮設手摺であって、
上側水平部と下側水平部とこれらを連結する垂直部と備える大径枠片、および前記上側水平部内に挿入される上側水平部と前記下側水平部内に挿入される下側水平部とこれらを連結する垂直部とを備える小径枠片とを有する四辺形の手摺パイプ枠と、
前記基台に締結されるジョイント部が下端部に設けられる支柱本体と、
前記支柱本体に設けられるとともにピンを中心に回動自在のクランプ片を有し、前記上側水平部と前記下側水平部のいずれか一方を前記支柱本体に固定する固定部材と、
前記支柱本体に上下に摺動自在に装着され、前記上側水平部と前記下側水平部のいずれか一方が前記固定部材により支持された後に、下降移動により前記上側水平部と前記下側水平部のいずれか他方に係合する係合フックとを有することを特徴とする仮設手摺。
【請求項４】
請求項３記載の仮設手摺において、前記大径枠片が係合する曲率の大きい係合面と、前記小径枠片が係合する曲率の小さい係合面とを前記係合フックに形成したことを特徴とする仮設手摺。
【発明の詳細な説明】
【０００１】
【発明の属する技術分野】
本発明は土木工事や建築工事に際して作業者の安全を図るための仮設手摺に関する。
【０００２】
【従来の技術】
地下道などの土木工事や中層ないし高層建造物を建築する建築工事にあっては、仮設足場や仮設通路の側縁および建築物の床、そして建築物のスラブ開口部の周囲などに、作業員の安全のためおよび資材の落下防止のために仮設手摺が設けられている。
【０００３】
建築物の床外周部やスラブ開口部の周囲などに設けられる仮設手摺としては、たとえば、特開平8-151784号公報に示されるように、それぞれ伸縮式の手摺パイプの一端が上下に固定されたパイプ付きの手摺支柱と、手摺パイプの他端が係合するフックが上下に取り付けられたパイプ無しの手摺支柱とを有するものがある。この仮設手摺は、建築物の床を基台としてこれに所定の間隔毎に形成された取付孔に、パイプ付きの手摺支柱とパイプ無しの手摺支柱とを隣り合わせに対にして取り付け、両方の手摺支柱の間隔に合わせて手摺パイプを伸縮させて両方の手摺支柱の間に手摺パイプを掛け渡すようにしている。
【０００４】
【発明が解決しようとする課題】
このような仮設手摺を工事現場に取り付けるには、トラックなどにより手摺支柱を構成する部材を工事現場まで運搬し、そこで組み立てることになるので、運搬に際しては仮設手摺の部材を運搬し易いように分解し得るようにすることが好ましい。前述した仮設手摺は手摺パイプと手摺支柱とが一体に取り付けられており、全体的にＬ字形状となっているので、工事現場まで手摺支柱を運搬する際にその取り扱いが容易でない。
【０００５】
仮設手摺を構成する手摺支柱をパイプ付きの手摺支柱とパイプ無しの手摺支柱との二種類としてこれらを対として使用する場合には、両方の手摺支柱を所定の本数だけ用意する必要があり、その管理が重要となる。
【０００６】
一方、手摺パイプと手摺支柱とを別部材として、工事現場でこれらを組み立てるようにする場合には、組立に時間がかからないようにすることが工事の迅速な進行のために重要となる。
【０００７】
本発明の目的は、工事現場において短時間で仮設手摺を組み立て分解することができるようにすることにある。
【０００８】
【課題を解決するための手段】
本発明の手摺支柱は、上側水平部と下側水平部とこれらを連結する垂直部と備える大径枠片、および前記上側水平部内に挿入される上側水平部と前記下側水平部内に挿入される下側水平部とこれらを連結する垂直部とを備える小径枠片とを有し、工事現場の基台に着脱自在に装着される四辺形の手摺パイプ枠を支持する手摺支柱であって、前記基台に締結されるジョイント部が下端部に設けられる支柱本体と、前記支柱本体に設けられるとともにピンを中心に回動自在のクランプ片を有し、前記上側水平部と前記下側水平部のいずれか一方を前記支柱本体に固定する固定部材と、前記支柱本体に上下に摺動自在に装着され、前記上側水平部と前記下側水平部のいずれか一方が前記固定部材により支持された後に、下降移動により前記上側水平部と前記下側水平部のいずれか他方に係合する係合フックとを有することを特徴とする。
【０００９】
本発明の手摺支柱は、前記係合フックに曲率が相違する複数の係合面を形成したことを特徴とする。
【００１０】
本発明の仮設手摺は、工事現場の基台に着脱自在に装着される仮設手摺であって、上側水平部と下側水平部とこれらを連結する垂直部と備える大径枠片、および前記上側水平部内に挿入される上側水平部と前記下側水平部内に挿入される下側水平部とこれらを連結する垂直部とを備える小径枠片とを有する四辺形の手摺パイプ枠と、前記基台に締結されるジョイント部が下端部に設けられる支柱本体と、前記支柱本体に設けられるとともにピンを中心に回動自在のクランプ片を有し、前記上側水平部と前記下側水平部のいずれか一方を前記支柱本体に固定する固定部材と、前記支柱本体に上下に摺動自在に装着され、前記上側水平部と前記下側水平部のいずれか一方が前記固定部材により支持された後に、下降移動により前記上側水平部と前記下側水平部のいずれか他方に係合する係合フックとを有することを特徴とする。
【００１１】
本発明の仮設手摺は、それぞれ大径の上側水平部と下側水平部とを有する大径枠片と、それぞれ小径の上側水平部と下側水平部とを有する小径枠片とにより前記手摺パイプ枠を形成し、前記大径枠片と前記小径枠片とがそれぞれの上側水平部および下側水平部で摺動自在に嵌合することを特徴とする。
【００１２】
本発明の仮設手摺は、前記大径枠片が係合する曲率の大きい係合面と、前記小径枠片が係合する曲率の小さい係合面とを前記係合フックに形成したことを特徴とする。
【００１３】
【発明の実施の形態】
以下、本発明の実施の形態を図面に基づいて詳細に説明する。
【００１４】
図１は本発明の一実施の形態である手摺支柱および仮設手摺を示す斜視図である。本発明の仮設手摺はほぼ四辺形の手摺パイプ枠１０と、基台Ｂにそれぞれ着脱自在に装着され手摺パイプ枠１０が掛け渡される２本の手摺支柱２０とにより形成されており、手摺パイプ枠１０と２つの手摺支柱２０とにより一対の仮設手摺が形成される。工事現場に敷設された仮設通路に仮設手摺を取り付ける場合には、任意の数の仮設手摺が仮設通路に取り付けられることになる。同様に、建築物の床外周部やスラブ開口部の周囲などに仮設手摺を取り付ける場合には、それぞれのサイズに対応させて任意の数の仮設手摺が取り付けられることになる。
【００１５】
図２は手摺パイプ枠１０を拡大して示す正面図であり、手摺パイプ枠１０は大径枠片１１と小径枠片１２とを有しており、大径枠片１１は相互に平行となった上側水平部１３ａと下側水平部１４ａとこれらを端部で連結する垂直部１５ａとを有し、丸パイプを折り曲げることにより形成されている。同様に、小径枠片１２は相互に平行となった上側水平部１３ｂと下側水平部１４ｂとこれらを端部で連結する垂直部１５ｂとを有し、丸パイプを折り曲げることにより形成されている。
【００１６】
大径枠片１１としては、たとえば、外径が34mm、厚みが2.3mm程度の金属製の丸棒が使用されており、小径枠片１２としては、たとえば、外径が27.2mm、厚みが1.9mm程度の金属製の丸棒が使用されている。したがって、小径枠片１２の開口側端部を大径枠片１１の開口側端部内に挿入することができ、挿入することによって、上下の水平部１３，１４と、両端部の垂直部１５ａ，１５ｂとからなり全体的にほぼ四辺形のループ状となった手摺パイプ枠１０が組み立てられる。また、それぞれの水平部を摺動させることによって、手摺パイプ枠１０の全長を変化させることができる。
【００１７】
図２（Ａ）は大径枠片１１と小径枠片１２とを分離した状態を示し、図２（Ｂ）は組み立てた状態を示す。図示するそれぞれの枠片１１，１２の水平部の長さは約2000mmであり、図２（ｂ）に示すように、２つの枠片をそれぞれの水平部で摺動させることによって手摺パイプ枠１０を伸縮させると、水平部をオーバーラップさせる寸法に応じて、手摺パイプ枠１０の長さを最大3600mmから最小2200mmの範囲で変化させることができる。
【００１８】
他のサイズの手摺パイプ枠１０としては、それぞれの枠片１１，１２の水平部の長さ寸法が、たとえば、1150mm程度のものを準備することができ、その場合には手摺パイプ枠１０の長さを最大1900mmから最小1350mm程度とることができる。このように、手摺パイプ枠１０のサイズを複数種類準備することにより、工事現場に合わせて任意のサイズのものを使用することができる。これらの枠片の長さ寸法および枠片１１，１２を構成する丸棒の外径や厚みは任意の値に設定することができることは言うまでもない。
【００１９】
図３は手摺支柱２０を拡大して示す正面図であり、手摺支柱２０は丸パイプからなる支柱本体２１を有し、その下端部には基台Ｂに締結されるジョイント部材２２が設けられ、上端部には手摺パイプ枠１０の上側水平部１３を固定する固定部材としてのクランパー２３が設けられている。
【００２０】
クランパー２３は支柱本体２１に固定されるほぼ半円形の固定側のクランプ片２４と、このクランプ片２４にピン２５により回動自在に取り付けられるほぼ半円形の可動側のクランプ片２６とを有している。クランプ片２４にはねじ棒材２７が回動自在に取り付けられ、このねじ棒材２７にねじ結合するナット部材２８がクランプ片２６に当接するようになっている。したがって、クランプ片２６を開いた状態のもとで、手摺パイプ枠１０の上側水平部１３をクランプ片２４の内面に接触させ、クランプ片２６をナット部材２８によりクランプ片２４に締め付けることにより手摺パイプ枠１０の上側水平部１３を締結することができる。ナット部材２８の外周面は球面形状となっており、作業者の身体がナット部材２８に接触しても、作業者が怪我をすることなく安全である。
【００２１】
支柱本体２１の中央部分には、上側ストッパ３１と下側ストッパ３２とが固定されており、これらの両方のストッパ３１，３２の間で上下方向に摺動自在に係合フック３３が装着されている。それぞれのストッパ３１，３２は環状部材により形成されており、環状部材を支柱本体２１の所定の位置に溶接することによりストッパが形成される。
【００２２】
係合フック３３は円筒状の筒体３４とこれに設けられた引っ掛け部３５とを有し、引っ掛け部３５と筒体３４とにより形成される凹部３６に、手摺パイプ枠１０の下側水平部１４が係合するようになっている。下側水平部１４を係合させるには、前述のように上側水平部１３をクランパー２３の中に入り込ませた状態のもとで、係合フック３３を上昇させた状態から下側ストッパ３２に向けて下降移動させる。これにより、下側水平部１４は係合フック３３の凹部３６内に係合することになり、係合操作とクランパー２３のねじ締め作業とにより簡単に手摺支柱２０に対して手摺パイプ枠１０を取り付けることができる。なお、筒体３４にねじ部材を取り付けて筒体３４を所定の位置で支柱本体２１に締結するようにしても良い。
【００２３】
一対の仮設手摺を組み立てるには、１組の手摺パイプ枠１０と２本の手摺支柱２０とを用いることになる。まず、基台Ｂに手摺支柱２０を所定の間隔を置いて取り付けた状態のもとで、手摺パイプ枠１０の上側水平部１３をクランパー２３の中に入り込ませ、下側水平部１４に係合フック３３を係合させた後に、クランパー２３のナット部材２８を締め付けることによって仮設手摺の組立が完が了する。
【００２４】
係合フック３３の凹部３６内に入り込む下側水平部１４としては、大径の下側水平部１３ａの場合と小径の下側水平部１３ｂの場合がある。いずれの径の水平部であっても、ガタツキなく係合フック３３を上側水平部１３に係合させるために、引っ掛け部３５にはその根元側に小径の下側水平部１３ｂの外径に対応した曲率の係合面３７が形成され、先端側には大径の下側水平部１３ａの外径に対応した曲率の係合面３８が形成されている。したがって、いずれの外径の下側水平部が凹部３６内に入り込んでも確実にガタツキなく係合フック３３によって手摺パイプ枠１０を固定することができる。また、手摺パイプ枠１０を手摺支柱２０から分解する場合にも、係合フック３３を上昇移動させることにより係合フック３３を下側水平部から外すことができる。
【００２５】
図４は手摺支柱２０の下端部に設けられたジョイント部材２２を示す断面図であり、図５は図４において矢印Ａ方向から見た底面図である。
【００２６】
支柱本体２１の下端部には支柱本体と同一の外径の円筒部材２９が溶接などの手段によって固定されるようになっており、円筒部材２９の内部には、それぞれ円弧上部とその両端に連なるストレート部とを有し断面Ｕ字形状となった半割り筒体４１，４２が組み込まれており、手摺支柱２０に回転自在に取り付けられたねじ棒材４３の先端が一方の半割り筒体４１の内周面に当接し、他方の半割り筒体４２に設けられたナット部材４４にねじ棒材４３がねじ結合している。したがって、ねじ棒材４３の頭部４５を用いてねじ棒材４３を回転させることによって、２つの半割り筒体４１，４２を径方向に移動させることができる。
【００２７】
これにより、基台Ｂに形成された取付孔あるいは基台Ｂに固定された鞘管などに半割り筒体４１，４２の部分を挿入した状態のもとで、ねじ棒材４３を回転させることによって手摺支柱２０を基台Ｂに締結することができる。
【００２８】
図６は本発明の他の実施の形態である手摺支柱および仮設手摺を示す斜視図であり、この場合には、支柱本体２１の上端部に係合フック３３が上下方向に摺動自在に装着され、支柱本体２１の中間部にはクランパー２３が取り付けられている。したがって、この場合には、手摺パイプ枠１０の上側水平部１３が係合フック３３に係合し、下側水平部１４はクランパー２３によって締結されるようになっており、他の構造は図１に示した仮設手摺と同様である。
【００２９】
図７は本発明のさらに他の実施の形態である手摺支柱および仮設手摺を示す斜視図であり、この場合には、固定部材２３は前述したクランパーの固定側のクランプ片２４とほぼ同様の形状からなる固定片２４ａにより形成されている。この場合には、手摺パイプ枠１０の上側水平部１３を固定片２４ａに形成されたほぼ半円形の凹部に係合させることにより、上側水平部１３を支柱本体２１に固定することができる。このように、固定部材２３としては、前述のように、固定側と可動側のクランプ片を用いて手摺パイプ枠１０をねじ止めするようにしても良く、図７に示すように凹部内に係合させて固定するようにしても良い。
【００３０】
図７にあっては、図３に示した部材と共通する部材には同一の符号が付されている。図７に示した形状の固定部材２３を図６に示したタイプの手摺支柱２０に用いるようにしても良い。
【００３１】
本発明は前記実施の形態に限定されるものではなく、その要旨を逸脱しない範囲で種々変更可能である。たとえば、手摺パイプ枠１０を構成する大径枠片１１と小径枠片１２はいずれも中空丸パイプ材から構成されているが、中空角パイプによって形成するようにしても良く、小径枠片１２を中実の棒材により形成するようにしても良い。また、それぞれの枠片１１，１２は棒材を折り曲げることにより形成されているが、水平部と垂直部とを別々の部材により形成し、それぞれを溶接によって接合することにより形成するようにしても良く、さらには、伸縮しない四辺形の枠体により手摺パイプ枠１０を形成するようにしても良い。また、手摺パイプ枠としては、上下の水平部に加えて中間の水平部を有するものとしても良い。
【００３２】
【発明の効果】
本発明の手摺支柱によれば、工事現場までは手摺パイプ枠とは分離した状態で運搬することができ、しかも、全て同種の手摺支柱を用いて手摺パイプ枠を支持することができる。本発明の仮設手摺によれば、手摺パイプ枠と手摺支柱とを工事現場で組み立てることができるので、それぞれの運搬を容易に行うことができる。手摺パイプ枠は大径枠片と小径枠片とから構成されているので、手摺パイプ枠の長さ寸法を任意の長さに調整することができる。手摺支柱に対する手摺パイプ枠の取付は、その上側水平部または下側水平部を固定部材に引っ掛ける一方、下側水平部または上側水平部を係合フックに係合させるのみで良く、容易に手摺パイプ枠を支柱に取り付けることができる。しかも、係合フックを下側水平部または上側水平部に係合させる際には、係合フックを上下方向に摺動させるだけで良く、手摺パイプ枠の取付操作を迅速に行うことができる。
【図面の簡単な説明】
【図１】本発明の一実施の形態である手摺支柱および仮設手摺を示す斜視図である。
【図２】（Ａ）は大径枠片と小径枠片とを分離した状態を示す正面図であり、（Ｂ）は組み立てて手摺パイプ枠を形成した状態を示す正面図である。
【図３】手摺支柱を拡大して示す正面図である。
【図４】手摺支柱の下端部に設けられたジョイント部材を示す断面図である。
【図５】図４において矢印Ａ方向から見た底面図である。
【図６】本発明の他の実施の形態である手摺支柱および仮設手摺を示す斜視図である。
【図７】本発明の他の実施の形態である手摺支柱および仮設手摺を示す斜視図である。
【符号の説明】
１０      手摺パイプ枠
１１      大径枠片
１２      小径枠片
１３，１３ａ，１３ｂ    上側水平部
１４，１４ａ，１４ｂ    下側水平部
１５ａ，１５ｂ    垂直部
２０      手摺支柱
２１      支柱本体
２２      ジョイント部材
２３      クランパー（固定部材）
２４      クランプ片
２４ａ    固定片
２５      ピン
２６      クランプ片
２７      ねじ棒材
２８      ナット部材
３１      上側ストッパ
３２      下側ストッパ
３３      係合フック
３４      筒体
３５      引っ掛け部
３６      凹部
３７，３８    係合面
４１，４２    半割り筒体
４３      ねじ棒材
４４      ナット部材
４５      頭部
Ｂ      基台
【図１】
0003904873.tif 000002
【図２】
0003904873.tif 000003
【図３】
0003904873.tif 000004
【図４】
0003904873.tif 000005
【図５】
0003904873.tif 000006
【図６】
0003904873.tif 000007
【図７】
0003904873.tif 000008